(57)【要約】      （修正有）【課題】二等辺三角形の集成材を用いた軽量で強度を有する葬儀用の棺を提供する。【解決手段】棺を構成する各面の全部または一部の板材が、一定の板厚からなる複数の二等辺三角形の集成材からなり、上下を交互に逆にして隣接する同じ長さの一方の斜辺と他方の斜辺とを接着し、圧着した状態の接合個所がＶ状の折れ曲がり線が連続するように貼り合わされた状態となっていることを特徴とする。また、板材を構成する多数の集成材が、同一形状の直角二等辺三角形からなっていることを特徴とする。【選択図】図２
0003202199.tif 000002
【実用新案登録請求の範囲】
【請求項１】
棺を構成する各面の全部または一部の板材が、一定の板厚からなる複数の二等辺三角形の集成材を、上下を交互に逆にして隣接する集成材で同じ長さの一方の斜辺と他方の斜辺とを接着し圧着した状態の接合個所がＶ状の折れ曲がり線が連続するように貼り合わされた状態となっていることを特徴とする棺。
【請求項２】
板材を構成する多数の集成材が、同一形状の直角二等辺三角形からなっていることを特徴とする請求項１に記載の棺。
【請求項３】
多数の集成材を組み合わせた板材が、その表面に単一色または模様を含む色彩を有する紙または天然繊維よりなる織物・編み生地・不織布のいずれかを貼着してなることを特徴とする請求項１または２に記載の棺。
【考案の詳細な説明】
【技術分野】
【０００１】
本考案は、集成材を用いた軽量で強度を有する葬儀用の棺の改良に関する。
【背景技術】
【０００２】
従来の棺は、厚さ約２０ｍｍ〜２５ｍの無垢の板材（主な材種は、桐、檜、杉など）で作られているため、重量があり、高額となるため、廉価で軽量化される構造が望まれていた。
そこで、例えば、古紙や間伐材その他の木製廃材を粉砕した粉砕物と熱可塑性樹脂を混合した混合材を加熱・加圧した板状体を素材に用いた柩（特開平１１−３４７０７９号）や、間伐材の集成材を用いた棺（実用新案登録第３１９３２５９号）などが知られているが、廉価にはなるが、一定の強度を備えるためには厚みを厚くする必要があり、重量も増えてしまうという問題点がある。
【先行技術文献】
【特許文献】
【０００３】
【特許文献１】特開平１１−３４７０７９号公報
【特許文献２】実用新案登録第３１９３２５９号公報
【考案の概要】
【考案が解決しようとする課題】
【０００４】
この考案が解決しようとする問題点は、二等辺三角形の集成材同士の斜辺を接着剤で接合して板材として用いることで、強度が高く、軽量化した棺を廉価で提供することを課題とする。
【課題を解決するための手段】
【０００５】
本考案は、上記課題を達成するために、請求項１の考案では、
棺を構成する各面の全部または一部の板材が、一定の板厚からなる複数の二等辺三角形の集成材を、上下を交互に逆にして隣接する集成材で同じ長さの一方の斜辺と他方の斜辺とを接着し圧着した状態の接合個所がＶ状の折れ曲がり線が連続するように貼り合わされた状態となっていることを特徴とする。
請求項２の考案では、
前記板材を構成する多数の集成材が、同一形状の直角二等辺三角形からなっていることを特徴とする。
請求項３の考案では、
前記多数の集成材を組み合わせた板材が、その表面に単一色または模様を含む色彩を有する紙または天然繊維よりなる織物・編み生地・不織布のいずれかを貼着してなることを特徴とする。
【考案の効果】
【０００６】
二等辺三角形からなる多数の集成材は、隣接する集成材の斜辺同士をボンドなどの接着剤で接着し、圧着することで１つの斜辺の接合個所が一本の骨組みとなり、左右の斜辺によりＶ状の折り曲げ線からなる骨組みが組み込まれることになるので、上記集成材を組み合わせた板材の強度が強固になり、同一強度であれば板厚を薄くすることができる。
例えば、二等辺三角形の集成材を接合した板材（板厚１０ｍｍ）で作られた箱と、２倍の板厚（２０ｍｍ）の無垢材で同一形状に作られた箱とを、５ｍの高さから地面に５回繰り返して落下させる落下強度試験では、後者に罅割れが見られたが、前者には割れの現象は見られなかった。
従って、この考案の集成材を接合した板材は、板厚で比較すると、無垢の板材に対して約２倍以上の強さがあることが確認された。
【図面の簡単な説明】
【０００７】
【図１】図１は棺の一例を示す斜視図である。
【図２】図２は板材の一例を示す平面図である。
【図３】図３は板材の表面に壁紙を貼着した状態の要部断面図である。
【考案を実施するための形態】
【０００８】
棺の板材に、多数の三角形の集成材を上下交互に組み合わせて、斜辺同士を接着し圧着した板材を用いることで、棺の強度を損なわずに軽量化を実現した。
三角形の集成材は、同一形状の二等辺三角形の集成材であることが好ましい。
【実施例１】
【０００９】
図２は、板厚が１０ｍｍの同一寸法の直角二等辺三角形に形成された集成材１を多数用い、該集成材１を、上下を交互に逆転させて、隣接する集成材１、１の斜辺１ａ、１ｂをボンドなどの木材用接着剤で接着し、貼合せの締付（圧着）を行って１枚の正方形や長方形の板材２を形成している。
【００１０】
これにより、集成材１、１同士が圧着される１つの斜辺１ａまたは１ｂの接合・圧着個所が一本の骨組３となり、左右の斜辺１ａおよび１ｂによりＶ型の骨組３，３が組み込まれることになる。
本実施例では集成材１が同一寸法の直角二等辺三角形からなるので、前記接合されて骨組３となる接合個所は、一辺が同じ長さとなっており、板材２の骨組３（接着面）はＶ状が連続するトラス構造となるので、一層強度を高めることができる。
【００１１】
上記板材２を用いて、棺１０が形成される。
本実施例で、図１に示す棺１０は、平均的な寸法であって、横幅が５２８ｍｍ、長さが１８０．８ｍｍ、高さが３９６ｍｍの箱形からなっている。
そして、板厚が従来の２０ｍｍに対して、本実施例では、その半分の１０ｍｍに設定されている。
【００１２】
前記棺１０は、左右の側板１１，１２と、前後の妻板１３、１４と、底板１５と、蓋板１６とからなっており、それぞれが直角二等辺三角形の集成材（図２参照）１を多数接合した矩形の板材２で形成されている。
そして、前述のように、板材２は、その接合面がトラス構造となるように組み合わされており、棺１０は、それらを用いた箱型からなっており、従来の同一寸法の棺の板厚２０ｍｍに比して、半分の１０ｍｍで少なくとも同様の強度を実現でき、同時に軽量化を図ることができる。
【００１３】
本実施例では、集成材１として直角二等辺三角形のものを用いたが、斜辺１ａ、１ｂが同じ寸法となる二等辺三角形であってもよい。
その場合も、集成材１の斜辺１ａ、１ｂの接合面がトラス構造となるので、同様の効果を奏することができる。
【００１４】
また、棺１０の各板１１〜１６は、集成材１を横一列に組み合わせた板材２からなるものでもよいが、該横一列の板材２を上下に複数段接合したものでもよい。  
【００１５】
前記板材２の材質が、例えば松材のように赤みを有していたり、集成材１の色彩が統一せずにムラが生じた場合などの場合には、棺１０を構成する全部、または一部の各板材２の表面に、白などの同一色の壁紙２０を表面に貼り付けて仕上げることが好ましい（図３参照）。
壁紙２０は白その他の単一色だけでなく、模様や立体的な浮き模様ななどの色彩が付されたものでもよい。
また、壁紙以外の紙や、天然繊維よりなる織物・編み生地・不織布のいずれかを貼り付けても良い。
これにより、棺１０に高級感をだすことができる。また、貼り付ける素材が合成樹脂や金属を含まないため、火葬時の温度を抑えることができ、火葬炉の負荷を軽減することができる。
【００１６】
棺の寸法は一例であって、任意の寸法のものでもよい。
また、集成材の素材は公知の素材のものを用いることができる。
棺の用途は、人間用であってもペット用であってもよい。
その他、この考案はその要旨を変更しない範囲で種々設計変更することができる。
【符号の説明】
【００１７】
１    集成材
１ａ、１ｂ  斜辺
２    矩形の板材
３    骨組
１０    棺
２０    壁紙
【図１】
0003202199.tif 000003
【図２】
0003202199.tif 000004
【図３】
0003202199.tif 000005